(57)【要約】【課題】  着信時に単に蓋体を開放することにより、受信状態にして通信可能にする折畳み式携帯電話機の開放時自動受信方式を提供すること。【解決手段】  制御部、操作部１２、受信ボタン１３、メールボタン１５、電源ボタン１４、ファンクションキー１６、マイク１７、アンテナ等を有する本体１１と、表示部１９、スピーカ２０等を有する蓋体１８と、本体１１と蓋体１８とを折畳み可能に連結するヒンジ部２１と、本体１１と蓋体１８の開放（開閉）状態を検知する蓋体開放（開閉）検知スイッチ２２，２３等とから成る折畳み式携帯電話機１０において、着信時に蓋体１８を開放することにより、受信状態にして通信可能にすることを特徴とする。【選択図】        図３
2005142790.tif 000002
【特許請求の範囲】
【請求項１】
本体と蓋体とから成る折畳み式携帯電話機において、着信時に蓋体を開放することにより、受信状態にして通信可能にすることを特徴とする折畳み式携帯電話機の開放時自動受信方式。
【請求項２】
制御部、操作部、受信ボタン、メールボタン、電源ボタン、ファンクションキー、マイク、アンテナ等を有する本体と、表示部、スピーカ等を有する蓋体と、本体と蓋体とを折畳み可能に連結するヒンジ部と、本体と蓋体の開放（開閉）状態を検知する蓋体開放（開閉）検知スイッチ等とから成る折畳み式携帯電話機において、着信時に蓋体を開放することにより、受信状態にして通信可能にすることを特徴とする折畳み式携帯電話機の開放時自動受信方式。
【請求項３】
請求項１又は請求項２に記載の折畳み式携帯電話機の開放時自動受信方式において、着信時に蓋体を開放しても受信状態にせず、受信ボタンにより受信状態にして通信可能になるように設定できることを特徴とする折畳み式携帯電話機の開放時自動受信方式。
【請求項４】
請求項１又は請求項２に記載の折畳み式携帯電話機の開放時自動受信方式において、着信時に蓋体を開放することにより、受信状態にして通話機能を可能にすることを特徴とする折畳み式携帯電話機の開放時自動受信方式。
【請求項５】
請求項１又は請求項２に記載の折畳み式携帯電話機の開放時自動受信方式において、着信時に蓋体を開放することにより、受信状態にしてメール機能を可能にすることを特徴とする折畳み式携帯電話機の開放時自動受信方式。
【請求項６】
請求項１又は請求項２に記載の折畳み式携帯電話機の開放時自動受信方式において、着信時に蓋体を開放することにより、受信状態にして設定した機能を可能にすることを特徴とする折畳み式携帯電話機の開放時自動受信方式。
【請求項７】
請求項１乃至請求項６のいずれか１項に記載の折畳み式携帯電話機の開放時自動受信方式において、蓋体を開放して操作中でも表示部により発信元を確認できるようにし、蓋体を開放して操作中に着信があった場合、設定の有無に拘わらず、受信ボタンを押下することで受信状態にして通信可能にすることを特徴とする折畳み式携帯電話機の開放時自動受信方式。
【発明の詳細な説明】
【技術分野】
【０００１】
本発明は、折畳み式携帯電話機の開放時自動受信方式に関する。
【背景技術】
【０００２】
一般に携帯電話機は通話開始ボタンと通話終了ボタンを備え、着信信号に応じて蓋体を開き、通話開始ボタンを押下することにより通話可能にし、通話終了ボタンを押下して通話を終了し、蓋体を閉じるようにしている（例えば、特許文献１参照）。
なお上記通話終了ボタンの機能を電源ボタンと兼用している携帯電話機もある。
【特許文献１】特開２００２−３５４０８７号公報
【発明の開示】
【発明が解決しようとする課題】
【０００３】
しかし前記特許文献１の携帯電話機では、着信信号に応じて先ず蓋体を開けてから通話開始ボタンを押下しなければ通話できないし、また通話が終わって蓋体を閉じる場合でもその前に通話終了ボタンを押下しなければならないというように、通話の開始・終了の際に一々２回の操作が必要であり、煩わしい。
【０００４】
本発明は、上記のような点に鑑み、着信時に単に蓋体を開放することにより、受信状態にして通信可能にする折畳み式携帯電話機の開放時自動受信方式を提供することを目的とする。
【課題を解決するための手段】
【０００５】
上記目的を達成するために、本発明の折畳み式携帯電話機の開放時自動受信方式は、本体と蓋体とから成り、着信時に蓋体を開放することにより、受信状態にして通信可能にすることを特徴とする。
【０００６】
また本発明の折畳み式携帯電話機の開放時自動受信方式は、制御部、操作部１２、受信ボタン１３、メールボタン１５、電源ボタン１４、ファンクションキー１６、マイク１７、アンテナ等を有する本体１１と、表示部１９、スピーカ２０等を有する蓋体１８と、本体１１と蓋体１８とを折畳み可能に連結するヒンジ部２１と、本体１１と蓋体１８の開放（開閉）状態を検出する蓋体開放（開閉）検知スイッチ２２，２３等とから成り、着信時に蓋体１８を開放することにより、受信状態にして通信可能にすることを特徴とする。
【０００７】
また前記の各々において、着信時に蓋体１８を開放しても受信状態にせず、受信ボタン１３により受信状態にして通信可能になるように設定できることを特徴とする。
【０００８】
さらに前記の各々において、着信時に蓋体１８を開放することにより、受信状態にして通話機能、又はメール機能を可能にすることを特徴とする。
【０００９】
さらに前記の各々において、着信時に蓋体１８を開放することにより、受信状態にして設定した機能を可能にすることを特徴とする。
【００１０】
さらに前記の各々において、蓋体を開放して操作中でも表示部１９により発信元を確認できるようにし、蓋体を開放して操作中に着信があった場合、設定の有無に拘わらず、受信ボタンを押下することで受信状態にして通信可能にすることを特徴とする。
【発明の効果】
【００１１】
本発明によれば、簡易受信モードに設定しておくことにより、着信信号により蓋体を開放し、さらに受信ボタンを押下してから受信するという二度の操作を必要としないで済み、また受信ボタン押下モードに設定しておくことにより、従来のように蓋体を開放し、受信ボタンを押下して通信可能状態にすることができるし、また蓋体を開けて通話先の電話番号を見て、或いは電話番号の通知が無いのを見て、受信ボタンを押下せず、留守電状態にして、通信しなくていで済むようにすることもできる。
【発明を実施するための最良の形態】
【００１２】
本発明を実施するための最良の形態を実施例に基づき図面を参照して説明する。
【実施例１】
【００１３】
図１は本発明に使用される折畳み式携帯電話機１０の概略構成のブロック図である。
図１において、１０１は外部と通信するためのアンテナ、１０２は情報を送受する送受信部、１０３は通信制御部、１０４は動作制御部、１０５はメニュー表示部、１０６は入出力部、１０７は電源部、１０８は蓋体の開放を検知する開放検知部（蓋体の開閉を検知する蓋体開閉検知部）、１０９は開放時設定部（開放時機能設定部或いは受信モード設定部）、１１０は開放時設定機能動作部である。
【００１４】
図２は折畳み式携帯電話機１０の概略斜視図である。
図において、１１は本体で、操作部１２、マイク１７、一方の蓋体開放（開閉）検知スイッチ２２を備え、操作部１２には受信ボタン（通話開始ボタン）１３、電源／終話ボタン（電源／通話終了ボタン）１４、メールボタン１５、ファンクションキー１６、図示しないアンテナ、制御部等が設けられている。
１８は蓋体で、表示部１９、スピーカ２０、他方の蓋体開放（開閉）検知スイッチ２３を備える。本体１１と蓋体１８はヒンジ部２１により内側へ折畳み可能にされており、又蓋体開放（開閉）検知スイッチ２２，２３により蓋体の開放（開閉）状態が検知される。なおアンテナは蓋体側に設けてもよい。またこの蓋体開放（開閉）検知スイッチとしては、磁気感応スイッチ、トグルスイッチ等適宜のものを用いることができる。
そしてファンクションキー１６により、着信時に蓋体を開放するのみで通信可能状態する「簡易受信モード」、或いは従来例と同様の「受信ボタン押下モード」の設定を行なう。
なお図示しないが、蓋体を閉じた状態でも情報を表示できるような補助表示部を、蓋体又は本体の背面に設けることができる。
これにより、蓋体を閉じた状態で着信があった場合、蓋体又は本体の背面の補助表示部により発信元を確認することができる。
【００１５】
図３は、通話、メール、その他の機能を設定するための機能設定時の処理のフロー図である。
ステップＳ３０で設定処理がスタートし、ステップＳ３１で「蓋体開放時に通信可能とするか？」の判断をし、「Ｙ（イエス）」であればステップＳ３２へ進み、「Ｎ（ノー）」であればステップＳ３８へ進む。ステップＳ３２で「通話か？」の判断をし、「Ｙ」であればステップＳ３３で「通話設定」をし、「Ｎ（ノー）」であればステップＳ３４へ進む。
【００１６】
ステップＳ３４で「メールか？」の判断をし、「Ｙ」であればステップＳ３５で「メール設定」をし、「Ｎ」であればステップＳ３６へ進む。ステップＳ３６で「その他指定ありか？」の判断をし、「Ｙ」であればステップＳ３７で「その他指定機能を設定」し、「Ｎ」であればステップＳ３８へ進む。
ステップＳ３１で蓋体の開放時に通話可能にしない場合と、ステップＳ３６でその他の指定が無い場合は、ステップＳ３８で「受信ボタン押下モードに設定」する。ステップＳ３９で機能設定処理を終了する。
【００１７】
図４は簡易受信モードに設定されている場合の携帯電話機の動作のフロー図である。
ステップＳ４０で処理がスタートし、ステップＳ４１で「着信ありか？」の判断をし、「Ｙ」であれば、ステップＳ４２で「蓋体を開いたか？」の判断をし、「Ｎ」であればステップＳ５１へ進み、「Ｙ」であればステップＳ４３で「通話か？」を判断する。
ステップＳ４３「Ｙ」であればステップＳ４４で通話可能状態にしてステップＳ４９へ進み、「Ｎ」であればステップＳ４５で「メールか？」を判断する。ステップＳ４５で「Ｙ」であればステップＳ４６でメールを開く状態にしてステップＳ４９へ進み、「Ｎ」であればステップＳ４７で「その他動作指定か？」を判断する。
ステップＳ４７で「Ｙ」であればステップＳ４８でその他の指定動作を実行状態にし、「Ｎ」であればステップＳ５１へ進む。
ステップＳ４９で通話又はメール又はその他指定した通信動作を実行し、ステップＳ５５で動作を終了する。
【００１８】
ステップＳ４２とステップＳ４７で「Ｎ」の場合はステップＳ５１で、「指定した動作実施」をし、ステップＳ４２へ戻り、またステップＳ５２で「受信ボタンオンか」の判断をし、「Ｙ」であればステップＳ５３で「次の動作」をする。
【００１９】
機能設定が「受信ボタン押下モード」が設定されている場合には、従来と同様に、着信信号に応じて蓋体を開いてから、受信ボタンを押下することにより、受信状態になり通話可能になる。
【００２０】
本発明においてはさらに、蓋体を開放して何らかの操作（メール確認、アドレス確認等）を行っている最中に着信した場合などのように、既に蓋体を開放しているときに着信があった場合は、受信ボタンを押下する前に表示部１９により発信元を確認できるようにする。
従ってこのようにすれば、設定の有無に拘わらず、発信元を確認してから、受信ボタンを押下することで受信（着信）して通信可能にすることができる。
【図面の簡単な説明】
【００２１】
【図１】本発明に使用される折畳み式携帯電話機の概略構成のブロック図。
【図２】折畳み式携帯電話機の概略斜視図。
【図３】通話、メール、その他の機能を設定するための機能設定時の処理のフロー図。
【図４】簡易受信モードに設定されている場合の携帯電話機の動作のフロー図。
【符号の説明】
【００２２】
１０  折畳み式携帯電話機
１１  本体
１２  操作部
１３  受信ボタン
１８  蓋体
１９  表示部
２１  ヒンジ部
２２，２３  蓋体開放（開閉）検知スイッチ
【図１】
2005142790.tif 000003
【図２】
2005142790.tif 000004
【図３】
2005142790.tif 000005
【図４】
2005142790.tif 000006